(57)【要約】【課題】２：３：３：２“プルダウン方式で２４Ｐ、６０ｉの映像撮影、映像変換する装置において記録媒体の映像とタイムコ−ドの２：３：３：２シーケンス連続性を確保してつなぎ取り記録することを目的とする。【解決手段】記録媒体のタイムコ−ド及び映像の“２：３：３：２“の１シ−ケンスにしたがい、記録開始信号発生手段２３が記録開始信号を発生し１シ−ケンスのスタ−トフレ−ム５ｎのタイムコ−ドより映像、タイムコ−ドの記録が開始される。”２：３：３：２”　プルダウン方式の１０フィールド（５フレーム）の１シーケンスを周期的に繰り返すことで記録される。これにより、映像撮影装置にて“２：３：３：２“の変換方式を保ちながら撮影つなぎ撮り記録が可能となる。【選択図】　図１
2004064608.tif 000002
【特許請求の範囲】
【請求項１】
２４フレーム／秒で第１映像信号を撮像する撮像手段と、
撮像した第１映像信号を一時的に保存する一時記録手段と、
前記一時記録手段から第２映像信号を３０フレーム／秒で読み出す読み出し手段と、
前記読み出し手段を制御する２：３：３：２プルダウン制御手段とを具備する映像記録装置であって、
前記２：３：３：２プルダウン制御手段は、第１映像信号のタイムコ−ドのフレ−ム値４ｎの奇数フィールドを第２映像信号のタイムコ−ドのフレ−ム値５ｎの奇数フィールドに変換し、第１映像信号のタイムコ−ドのフレ−ム値４ｎの偶数フィールドを第２映像信号のタイムコ−ドのフレ−ム値５ｎの偶数フィールドに変換し、第１映像信号のタイムコ−ドのフレ−ム値４ｎ＋１の奇数フィールドを第２映像信号のタイムコ−ドのフレ−ム値５ｎ＋１の奇数フィールドに変換し、第１映像信号のタイムコ−ドのフレ−ム値４ｎ＋１の偶数フィールドを第２映像信号のタイムコ−ドのフレ−ム値５ｎ＋１の偶数フィールドに変換し、第１映像信号のタイムコ−ドのフレ−ム値４ｎ＋１の奇数フィールドを第２映像信号のタイムコ−ドのフレ−ム値５ｎ＋２の奇数フィールドに変換し、第１映像信号のタイムコ−ドのフレ−ム値４ｎ＋２の偶数フィールドを第２映像信号のタイムコ−ドのフレ−ム値５ｎ＋２の偶数フィールドに変換し、第１映像信号のタイムコ−ドのフレ−ム値４ｎ＋２の奇数フィールドを第２映像信号のタイムコ−ドのフレ−ム値５ｎ＋３の奇数フィールドに変換し、第１映像信号のタイムコ−ドのフレ−ム値４ｎ＋２の偶数フィールドを第２映像信号のタイムコ−ドのフレ−ム値５ｎ＋３の偶数フィールドに変換し、第１映像信号のタイムコ−ドのフレ−ム値４ｎ＋３の奇数フィールドを第２映像信号のタイムコ−ドのフレ−ム値５ｎ＋４の奇数フィールドに変換し、第１映像信号のタイムコ−ドのフレ−ム値４ｎ＋３の偶数フィールドを第２映像信号のタイムコ−ドのフレ−ム値５ｎ＋４の偶数フィールドに変換（ｎは０から５までの整数）する、映像記録装置。
【請求項２】
映像撮影時に前記第２映像信号の１シ−ケンスである５フレ−ム単位に記録媒体へ映像を記録する記録手段をさらに具備する、請求項１に記載の映像記録装置。
【請求項３】
映像撮影時に前記第２映像信号の１シ−ケンスである５フレ−ム単位の記録開始信号を発生させる記録開始信号発生手段をさらに具備する、請求項１または２に記載の映像記録装置。
【請求項４】
映像撮影時に記録媒体にすでに記録されている前記第２映像信号のタイムコードを再生するタイムコード読み取り手段を具備し、前記タイムコード読み取り手段によって再生した前記タイムコ−ドに位相同期して記録を開始する、請求項１乃至３に記載の映像記録装置。
【請求項５】
前記第２映像信号を６０フィールド／秒のインターレース方式で記録する記録手段をさらに具備する、請求項１に記載の映像記録装置。
【請求項６】
前記一時記録手段から読み出した２つのフィールドを１つのフレームにして圧縮し、圧縮映像信号とする圧縮手段をさらに具備し、
前記記録手段は前記圧縮映像信号を記録する、請求項５に記載の映像記録装置。
【請求項７】
２４フレーム／秒で第１映像信号を入力する２４Ｐ入力手段と、
入力した第１映像信号を一時的に保存する一時記録手段と、
前記一時記録手段から第２映像信号を３０フレーム／秒で読み出す読み出し手段と、
前記読み出し手段を制御する２：３：３：２プルダウン制御手段とを具備する映像変換装置であって、
前記２：３：３：２プルダウン制御手段は、第１映像信号のタイムコ−ドのフレ−ム値４ｎの奇数フィールドを第２映像信号のタイムコ−ドのフレ−ム値５ｎの奇数フィールドに変換し、第１映像信号のタイムコ−ドのフレ−ム値４ｎの偶数フィールドを第２映像信号のタイムコ−ドのフレ−ム値５ｎの偶数フィールドに変換し、第１映像信号のタイムコ−ドのフレ−ム値４ｎ＋１の奇数フィールドを第２映像信号のタイムコ−ドのフレ−ム値５ｎ＋１の奇数フィールドに変換し、第１映像信号のタイムコ−ドのフレ−ム値４ｎ＋１の偶数フィールドを第２映像信号のタイムコ−ドのフレ−ム値５ｎ＋１の偶数フィールドに変換し、第１映像信号のタイムコ−ドのフレ−ム値４ｎ＋１の奇数フィールドを第２映像信号のタイムコ−ドのフレ−ム値５ｎ＋２の奇数フィールドに変換し、第１映像信号のタイムコ−ドのフレ−ム値４ｎ＋２の偶数フィールドを第２映像信号のタイムコ−ドのフレ−ム値５ｎ＋２の偶数フィールドに変換し、第１映像信号のタイムコ−ドのフレ−ム値４ｎ＋２の奇数フィールドを第２映像信号のタイムコ−ドのフレ−ム値５ｎ＋３の奇数フィールドに変換し、第１映像信号のタイムコ−ドのフレ−ム値４ｎ＋２の偶数フィールドを第２映像信号のタイムコ−ドのフレ−ム値５ｎ＋３の偶数フィールドに変換し、第１映像信号のタイムコ−ドのフレ−ム値４ｎ＋３の奇数フィールドを第２映像信号のタイムコ−ドのフレ−ム値５ｎ＋４の奇数フィールドに変換し、第１映像信号のタイムコ−ドのフレ−ム値４ｎ＋３の偶数フィールドを第２映像信号のタイムコ−ドのフレ−ム値５ｎ＋４の偶数フィールドに変換（ｎは０から５までの整数）する、映像変換装置。
【請求項８】
６０フィールド／秒のインターレース方式であり、フレームごとに圧縮された圧縮映像信号を入力する入力手段と、
前記入力手段から、タイムコ−ドの値が５ｎ＋２（ｎは０から５までの整数）のフレームの圧縮映像信号を抜き出すためのタイムコ−ド抜き出し制御手段とをさらに具備する、請求項７に記載の映像変換装置。
【請求項９】
６０フィールド／秒のインターレース方式であり、フレームごとに圧縮された圧縮映像信号を入力する入力手段と、
前記入力手段から、タイムコ−ドの値が５ｎ＋２（ｎは０から５までの整数）のフレームの圧縮映像信号を抜き出すためのタイムコ−ド抜き出し制御手段と、
抜き出した前記圧縮映像信号を記録する記録手段と、
記録した圧縮映像信号を伸張する映像伸張手段と、
伸張した映像信号を表示する表示手段と、
前記映像信号をフレーム単位で編集する機能を有する編集手段とを具備する映像編集装置。
【発明の詳細な説明】
【０００１】
【発明の属する技術分野】
本発明は、２４フレーム／秒の速度で映像を撮影し、ＮＴＳＣ方式（４８０／６０ｉ）で出力するビデオカメラ、あるいは記録機能を併せ持つカメラレコーダ、あるいは、２４フレーム／秒で撮影された映像を入力し、ＮＴＳＣ方式に変換するフォーマット変換装置、あるいは本発明による方法で記録された信号から、撮影時点の２４フレーム／秒の映像を取りだし、再度編集する装置に関する。
【０００２】
【従来の技術】
従来、２４Ｐ（２４フレーム／秒のプログレッシブ）方式の映像を６０ｉ（６０フィールド／秒のインターレース）方式に記録する場合、”２：３”プルダウンという変換が一般的に使われている。　従来の”２：３”プルダウン方式とは、２４Ｐの連続する４フレームを６０ｉ方式１０フィールド（５フレーム）に時間軸を合わせながら変換していく。すなわち、”２：３”プルダウンと周期的に繰り返し“２：３：２：３”と記録していく方式が採用されている。
【０００３】
また、近年は変換方式として“２：３：３：２”という変換方式が提案されている。図２に“２：３：３：２”プルダウン方式を示す。“２：３：３：２”という変換方式は、連続する第１乃至第４のフレームの映像を、連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６乃び第８のフィールドに、第４のフレームの奇数フィールドを第９のフィールドに、第４のフレームの偶数フィールドを第１０のフィールドに、それぞれ変換する方式である。また、近年は映像をフレーム単位で圧縮して記録する技術が普及している。例えば６０ｉ映像の１フレームの映像信号を圧縮する場合、圧縮効率の向上の為、奇数フィールドと偶数フィールドとを一つのフレームに合成した上で圧縮を行っている。
【０００４】
【発明が解決しようとする課題】
第１の課題として従来の映像記録装置は、記録開始、記録停止の最小単位としては、タイムコード（ＴＣ）基準の１フレーム単位で記録を行うのが一般的である。“２：３：３：２”方式で映像を記録する映像記録装置において２４Ｐ（２４フレーム／秒）方式の映像を６０ｉ（６０フィールド／秒）のインターレース“２：３：３：２”プルダウン方式で撮影する場合、“２：３：３：２”“２：３：３：２”“２：３：３：２”…、と連続して映像を記録する必要がある。つまり、１０フィールド（５フレーム）を１シーケンスとし、この単位を保って記録する必要がある。また、１フレームの映像信号を圧縮する場合、圧縮効率の向上のため、奇数フィールドと偶数フィールドとを一つのフレームに合成した上で圧縮を行っている。この２つの理由の為、従来の記録開始、記録停止の最小単位である、１フレーム単位でつなぎ取り記録を行うと“２：３：３：２“の変換方式を保つ事が出来ないという課題があった。
【０００５】
第２の課題として、記録媒体にすでに記録された映像に対してつなぎ撮りする場合、タイムコ−ドとの２：３：３：２シーケンスの連続性を確保して記録する必要があるという課題があった。
【０００６】
第３の課題として“２：３：３：２“プルダウン方式で２４Ｐ、６０ｉの映像変換、タイムコ−ド変換、編集する場合、より安価で簡単な構成で実現することが課題であった。
【０００７】
本発明は、記録媒体に映像とタイムコ−ドの２：３：３：２シーケンス連続性を確保してつなぎ撮り記録する装置を実現することを目的とする。
【０００８】
【課題を解決するための手段】
この課題を解決するため、本発明では、２：３：３：２“映像記録装置において２４Ｐ（２４フレーム／秒）方式の映像を６０ｉ（６０フィールド／秒）のインターレース“２：３：３：２”プルダウン方式で６０ｉの映像を撮影する場合、タイムコ−ドのフレ−ムの桁を基準として、第１映像信号のタイムコ−ドのフレ−ム値４ｎの奇数フィールドを第２映像信号のタイムコ−ドのフレ−ム値５ｎの奇数フィールドに変換し、第１映像信号のタイムコ−ドのフレ−ム値４ｎの偶数フィールドを第２映像信号のタイムコ−ドのフレ−ム値５ｎの偶数フィールドに変換し、第１映像信号のタイムコ−ドのフレ−ム値４ｎ＋１の奇数フィールドを第２映像信号のタイムコ−ドのフレ−ム値５ｎ＋１の奇数フィールドに変換し、第１映像信号のタイムコ−ドのフレ−ム値４ｎ＋１の偶数フィールドを第２映像信号のタイムコ−ドのフレ−ム値５ｎ＋１の偶数フィールドに変換し、第１映像信号のタイムコ−ドのフレ−ム値４ｎ＋１の奇数フィールドを第２映像信号のタイムコ−ドのフレ−ム値５ｎ＋２の奇数フィールドに変換し、第１映像信号のタイムコ−ドのフレ−ム値４ｎ＋２の偶数フィールドを第２映像信号のタイムコ−ドのフレ−ム値５ｎ＋２の偶数フィールドに変換し、第１映像信号のタイムコ−ドのフレ−ム値４ｎ＋２の奇数フィールドを第２映像信号のタイムコ−ドのフレ−ム値５ｎ＋３の奇数フィールドに変換し、第１映像信号のタイムコ−ドのフレ−ム値４ｎ＋２の偶数フィールドを第２映像信号のタイムコ−ドのフレ−ム値５ｎ＋３の偶数フィールドに変換し、第１映像信号のタイムコ−ドのフレ−ム値４ｎ＋３の奇数フィールドを第２映像信号のタイムコ−ドのフレ−ム値５ｎ＋４の奇数フィールドに変換し、第１映像信号のタイムコ−ドのフレ−ム値４ｎ＋３の偶数フィールドを第２映像信号のタイムコ−ドのフレ−ム値５ｎ＋４の偶数フィールドに変換する。ただし、上記ｎは０から５までの整数である。
【０００９】
記録媒体のタイムコ−ド及び映像の“２：３：３：２“の１シ−ケンスにしたがい、記録開始信号発生手段２３が記録開始信号を発生し、１シ−ケンスのスタ−トフレ−ム５ｎのタイムコ−ドより映像、タイムコ−ドの記録が開始される。そして、”２：３：３：２”　プルダウン方式の１０フィールド（５フレーム）の１シーケンスを周期的に繰り返して記録を行う。これにより、映像記録装置にて“２：３：３：２“の変換方式を保ちながら撮影及びつなぎ撮り記録が可能となる。
【００１０】
また、“２：３：３：２“の変換方式の目的である６０ｉで記録された“２：３：３：２“圧縮信号を２４Ｐの信号として取り出す場合、第１映像信号のタイムコ−ド５ｎ、５ｎ＋１、５ｎ＋３、５ｎ＋４、を取り出して第２映像信号のタイムコ−ド４ｎ、４ｎ＋１、４ｎ＋２、４ｎ＋３に変換し、これを２４Ｐの圧縮信号とみなして記録手段にて記録媒体に記録する。第１映像信号のタイムコ−ドの５ｎ＋２の映像を間引くことで、２４Ｐの圧縮信号を復元できる。
【００１１】
【発明の実施の形態】
本発明の請求項１に記載の発明は、２４フレーム／秒で第１映像信号を撮像する撮像手段と、撮像した第１映像信号を一時的に保存する一時記録手段と、前記一時記録手段から第２映像信号を３０フレーム／秒で読み出す読み出し手段と、前記読み出し手段を制御する２：３：３：２プルダウン制御手段とを具備する映像記録装置であって、前記２：３：３：２プルダウン制御手段は、第１映像信号のタイムコ−ドのフレ−ム値４ｎの奇数フィールドを第２映像信号のタイムコ−ドのフレ−ム値５ｎの奇数フィールドに変換し、第１映像信号のタイムコ−ドのフレ−ム値４ｎの偶数フィールドを第２映像信号のタイムコ−ドのフレ−ム値５ｎの偶数フィールドに変換し、第１映像信号のタイムコ−ドのフレ−ム値４ｎ＋１の奇数フィールドを第２映像信号のタイムコ−ドのフレ−ム値５ｎ＋１の奇数フィールドに変換し、第１映像信号のタイムコ−ドのフレ−ム値４ｎ＋１の偶数フィールドを第２映像信号のタイムコ−ドのフレ−ム値５ｎ＋１の偶数フィールドに変換し、第１映像信号のタイムコ−ドのフレ−ム値４ｎ＋１の奇数フィールドを第２映像信号のタイムコ−ドのフレ−ム値５ｎ＋２の奇数フィールドに変換し、第１映像信号のタイムコ−ドのフレ−ム値４ｎ＋２の偶数フィールドを第２映像信号のタイムコ−ドのフレ−ム値５ｎ＋２の偶数フィールドに変換し、第１映像信号のタイムコ−ドのフレ−ム値４ｎ＋２の奇数フィールドを第２映像信号のタイムコ−ドのフレ−ム値５ｎ＋３の奇数フィールドに変換し、第１映像信号のタイムコ−ドのフレ−ム値４ｎ＋２の偶数フィールドを第２映像信号のタイムコ−ドのフレ−ム値５ｎ＋３の偶数フィールドに変換し、第１映像信号のタイムコ−ドのフレ−ム値４ｎ＋３の奇数フィールドを第２映像信号のタイムコ−ドのフレ−ム値５ｎ＋４の奇数フィールドに変換し、第１映像信号のタイムコ−ドのフレ−ム値４ｎ＋３の偶数フィールドを第２映像信号のタイムコ−ドのフレ−ム値５ｎ＋４の偶数フィールドに変換（ｎは０から５までの整数）する、映像記録装置としたものであり、タイムコ−ド基準で映像の２：３：３：２の１シ−ケンスを確定することでこの出力の後段にフレーム単位の圧縮を施して記録した場合でも、撮影時の２４フレームをタイムコ−ド基準で画質劣化なく取り出すことが可能である。
【００１２】
請求項２に記載の発明は、映像撮影時に前記第２映像信号の１シ−ケンスである５フレ−ム単位に記録媒体へ映像を記録する記録手段をさらに具備する、請求項１に記載の映像記録装置としたものであり、記録媒体のタイムコ−ド、映像の２：３：３：２の１シ−ケンスを保持することでこの出力の後段にフレーム単位の圧縮を施して記録した場合でも、撮影時の２４フレームを画質劣化なく取り出すことが可能である。
【００１３】
請求項３に記載の発明は、映像撮影時に前記第２映像信号の１シ−ケンスである５フレ−ム単位の記録開始信号を発生させる記録開始信号発生手段をさらに具備する、請求項１または２に記載の映像記録装置としたものであり、記録媒体のタイムコ−ド、映像の２：３：３：２の１シ−ケンスに位相同期して記録開始点を定める効果が得られる。
【００１４】
請求項４に記載の発明は、映像撮影時に記録媒体にすでに記録されている前記第２映像信号のタイムコードを再生するタイムコード読み取り手段を具備し、前記タイムコード読み取り手段によって再生した前記タイムコ−ドに位相同期して記録開始する、請求項１乃至３に記載の映像記録装置としたものであり、記録媒体のタイムコ−ド、映像の２：３：３：２の１シ−ケンスに位相同期してつなぎ撮りすることが可能となる効果が得られる。
【００１５】
請求項５に記載の発明は、前記第２映像信号を６０フィールド／秒のインターレース方式で記録する記録手段をさらに具備する、請求項１に記載の映像記録装置としたものであり、記録する手段を含んでいるため持ち運びの自由度が高く、かつ、後日記録した映像を再生することにより請求項１と同様の効果が得られる。
【００１６】
請求項６に記載の発明は、前記一時記録手段から読み出した２つのフィールドを１つのフレームにして圧縮し、圧縮映像信号とする圧縮手段をさらに具備し、前記記録手段は前記圧縮映像信号を記録する、請求項５に記載の映像記録装置としたものであり、圧縮によりデータ量を削減し、より長い時間の記録が可能であり、かつ、請求項１と同様の効果が得られる。
【００１７】
請求項７に記載の発明は、２４フレーム／秒で第１映像信号を入力する２４Ｐ入力手段と、入力した第１映像信号を一時的に保存する一時記録手段と、前記一時記録手段から第２映像信号を３０フレーム／秒で読み出す読み出し手段と、前記読み出し手段を制御する２：３：３：２プルダウン制御手段とを具備する映像変換装置であって、前記２：３：３：２プルダウン制御手段は、第１映像信号のタイムコ−ドのフレ−ム値４ｎの奇数フィールドを第２映像信号のタイムコ−ドのフレ−ム値５ｎの奇数フィールドに変換し、第１映像信号のタイムコ−ドのフレ−ム値４ｎの偶数フィールドを第２映像信号のタイムコ−ドのフレ−ム値５ｎの偶数フィールドに変換し、第１映像信号のタイムコ−ドのフレ−ム値４ｎ＋１の奇数フィールドを第２映像信号のタイムコ−ドのフレ−ム値５ｎ＋１の奇数フィールドに変換し、第１映像信号のタイムコ−ドのフレ−ム値４ｎ＋１の偶数フィールドを第２映像信号のタイムコ−ドのフレ−ム値５ｎ＋１の偶数フィールドに変換し、第１映像信号のタイムコ−ドのフレ−ム値４ｎ＋１の奇数フィールドを第２映像信号のタイムコ−ドのフレ−ム値５ｎ＋２の奇数フィールドに変換し、第１映像信号のタイムコ−ドのフレ−ム値４ｎ＋２の偶数フィールドを第２映像信号のタイムコ−ドのフレ−ム値５ｎ＋２の偶数フィールドに変換し、第１映像信号のタイムコ−ドのフレ−ム値４ｎ＋２の奇数フィールドを第２映像信号のタイムコ−ドのフレ−ム値５ｎ＋３の奇数フィールドに変換し、第１映像信号のタイムコ−ドのフレ−ム値４ｎ＋２の偶数フィールドを第２映像信号のタイムコ−ドのフレ−ム値５ｎ＋３の偶数フィールドに変換し、第１映像信号のタイムコ−ドのフレ−ム値４ｎ＋３の奇数フィールドを第２映像信号のタイムコ−ドのフレ−ム値５ｎ＋４の奇数フィールドに変換し、第１映像信号のタイムコ−ドのフレ−ム値４ｎ＋３の偶数フィールドを第２映像信号のタイムコ−ドのフレ−ム値５ｎ＋４の偶数フィールドに変換（ｎは０から５までの整数）する、映像変換装置としたものであり、タイムコ−ド基準ですでに２４フレーム／秒で撮影された映像を入力した場合に、同様に“２：３：３：２”プルダウン形式で出力することにより、請求項１と同様の効果が得られる。
【００１８】
請求項８に記載の発明は、６０フィールド／秒のインターレース方式であり、フレームごとに圧縮された圧縮映像信号を入力する入力手段と、前記入力手段から、タイムコ−ドの値が５ｎ＋２（ｎは０から５までの整数）のフレームの圧縮映像信号を抜き出すためのタイムコ−ド抜き出し制御手段とをさらに具備する、請求項７に記載の映像変換装置としたものであり、撮影時の２４Ｐで記録したフレームをタイムコ−ド基準で画質劣化なく取り出すことができるという効果が得られる。
【００１９】
請求項９に記載の発明は、６０フィールド／秒のインターレース方式であり、フレームごとに圧縮された圧縮映像信号を入力する入力手段と、前記入力手段から、タイムコ−ドの値が５ｎ＋２（ｎは０から５までの整数）のフレームの圧縮映像信号を抜き出すためのタイムコ−ド抜き出し制御手段と、抜き出した前記圧縮映像信号を記録する記録手段と、記録した圧縮映像信号を伸張する映像伸張手段と、伸張した映像信号を表示する表示手段と、前記映像信号をフレーム単位で編集する機能を有する編集手段とを具備する映像編集装置としたものであり、撮影時のフレームをタイムコ−ド基準で画質劣化なく取り出し、編集して出力する事が可能であるという効果が得られる。
【００２０】
以下、本発明の実施の形態について、図１から図６を用いて説明する。図１は、本発明の一実施の形態を示すブロック図である。なお、各ブロック間をつなぐ矢印に対し、その矢印に沿って流れる信号が２４Ｐであるか６０ｉであるかを記載している。また、その信号が圧縮されている場合には（６０ｉ）のように括弧付きで記載している。２４Ｐのタイムコ−ドを２４Ｐ　ＴＣと記載し６０ｉのタイムコ−ドを６０ｉ　ＴＣと記載している。
【００２１】
撮像手段１１は２４Ｐすなわち順次走査による２４フレーム／秒で映像を撮影し、その信号を取り出す手段である。撮像手段１１から取り出された２４Ｐ映像は、順次一時記録手段１２に送られる。本実施の形態では、便宜的にこれらの連続したフレームをフレームＡ、Ｂ、Ｃ、Ｄ、…と呼ぶこととする。実際には撮像手段１１からの２４Ｐ映像信号は、４フレームごとにフレームＡ、Ｂ、Ｃ、Ｄと同様の処理が繰り返し行われる。一時記録手段１２は、シリンダ−ヘッド部に対して６０ｉサ−ボ基準信号を生成し、２４Ｐ形式の書きこみタイミングと６０ｉ形式の読み出しタイミングの時間的ずれを補うために具備されている。
【００２２】
記録媒体のタイムコ−ド読み取り手段２１は６０ｉサ−ボ基準信号と同期してタイムコ−ドを読み取る。２：３：３：２プルダウン制御手段２２は、６０ｉの映像信号タイミングと記録媒体のタイムコ−ド読み取り手段２１からのタイムコ−ドのフレ−ムタイミングの位相が一致する様に一時記録手段１２に記録されたフレーム信号を読み出す。まずタイムコ−ド５ｎの前半のタイミングにおいて、フレームＡの奇数ラインからなるフィールドＡｏをインターレース（飛越し走査）により読み出す。次に、タイムコ−ド５ｎの後半のタイミングにおいて、フレームＡの偶数ラインからなるフィールドＡｅをインターレースにより読み出す。同様にして、タイムコ−ド５ｎ＋１のタイミングでフレームＢを読み出す。次にタイムコ−ド５ｎ＋２の前半のタイミングにおいて、フレームＢの奇数ラインからなるフィールドＢｏをインターレースで読み出し、後半のタイミングでフレームＣの偶数ラインからなるフィールドＣｅをインターレースで読み出す。そしてタイムコ−ド５ｎの場合と同様にして、タイムコ−ド５ｎ＋３のタイミングでフレームＣを読み出し、タイムコ−ド５ｎ＋４のタイミングでフレームＤを読み出す。以上の動作を４フレーム周期で周期的に繰り返し、２４Ｐの映像とタイムコードを６０ｉのタイムコ−ド５ｎ、５ｎ＋１、５ｎ＋２、５ｎ＋３、５ｎ＋４の映像とタイムコ−ドへ変換していく。
【００２３】
前記の順に読み出された６０ｉの映像信号は記録媒体のタイムコ−ドフレ−ム基準と位相同期して映像圧縮手段１３に順次送られる。映像圧縮手段１３により、６０ｉの信号は連続する奇数フィールド、偶数フィールドの２つのフィールドを１つのフレームとしてフレーム単位に圧縮（フレーム内圧縮）される。フレーム内圧縮の例としては例えばＤＶ圧縮が広く普及している。映像圧縮手段１３で圧縮された６０ｉの圧縮信号は記録再生手段２４に送られ、記録媒体のタイムコ−ド“２：３：３：２“の１シ−ケンスにしたがい、記録開始信号発生手段２３より記録開始信号を発生し１シ−ケンスのスタ−トフレ−ム５ｎのタイムコ−ドより映像、タイムコ−ドの記録が開始される。例えばテープやディスクなどの記録媒体に記録される。６０ｉの圧縮信号は同時に映像圧縮手段１３からタイムコ−ドと共に出力手段１６にも送られ、圧縮映像データとして外部に出力される。圧縮映像データを出力する形式としては例えばＩＥＥＥ１３９４が広く普及している。なお、記録再生手段２４で記録された圧縮信号は、後に記録再生手段２４によって記録媒体から再生され、出力手段１６から出力する事も可能である。
【００２４】
次に、６０ｉで記録された圧縮信号を２４Ｐの信号として取り出す場合について説明する。出力手段１６から出力された６０ｉの圧縮信号は入力手段１７で受け取られる。タイムコ−ド抜き出し制御手段１２０は、入力手段１７からタイムコ−ド基準フレーム５ｎ、５ｎ＋１、５ｎ＋３、５ｎ＋４、を順次取り出し、これを２４Ｐの圧縮信号とみなして記録手段１８にて記録媒体１００に記録される。２４Ｐの１フレームの信号は元々６０ｉの圧縮信号として記録されたフレームＡの信号であるが、６０ｉの１フレーム分の圧縮信号と２４Ｐの１フレーム分の圧縮信号は形式が同一のため、この６０ｉのタイムコ−ド５ｎの圧縮信号をそのまま抜き出し、２４Ｐの圧縮信号として画質劣化なく記録手段１８にて記録媒体１００に記録することができる。同様に６０ｉのタイムコ−ド５ｎ＋１、５ｎ＋３、５ｎ＋４の圧縮信号はフレームＢ、Ｃ、Ｄの圧縮信号として画質劣化なく記録手段１８にて記録媒体１００に記録できる。なお、６０ｉのタイムコ−ド５ｎ＋２は読み捨てる。
【００２５】
次に編集について説明する。記録手段１８にて記録媒体１００に記録された２４Ｐの圧縮信号は映像伸張手段１９で２４Ｐの非圧縮の信号に戻され、さらに映像出力手段１２２に送られ映像として出力される。タイムコ−ド抜き出し制御手段１２０よりタイムコ−ド基準で映像の抜き出し処理を行い編集手段１２１、記録手段１８、タイムコ−ド変換手段１２３で２４Ｐのタイムコ−ドを生成し２４Ｐの映像と位相同期を行い２４Ｐの記録及び編集を行う。ユーザはこの映像出力手段１２２の映像とタイムコ−ド出力手段１２５のタイムコ−ドを見ながら編集を行う。具体的には映像の開始点および終了点をタイムコ−ド基準で指定する。複数の映像部分について同様に開始点、終了点を決め、複数の映像部分を並べることで編集が完了する。編集手段１２１は、前記開始点、終了点、およびその順番を記録し、その記録に基づいて複数の映像部分を表示する。
【００２６】
図３は、本発明の　２：３：３：２プルダウン制御と撮影記録単位についての概略図である。２４Ｐの映像を２：３：３：２プルダウンで６０ｉに記録する場合、記録媒体のタイムコ−ドと位相同期してタイムコ−ド記録開始信号発生手段２３からの記録開始信号スタ−トフレ−ムで記録開始点である１シ−ケンスのスタ−ト５ｎより撮影つなぎ取り記録を開始する。タイムコ−ドのフレ−ム基準で５ｎ、５ｎ＋１、５ｎ＋２、５ｎ＋３、５ｎ＋４を周期的に繰り返し、映像のつなぎ撮り記録をしていく。
【００２７】
図４は、本発明のタイムコ−ド抜き出し制御手段についての概略図である。２４Ｐの映像を２：３：３：２プルダウンで６０ｉに記録された映像信号のうちタイムコ−ド基準で５ｎ＋２の映像を読み捨てる。タイムコ−ド５ｎ、５ｎ＋１、５ｎ＋３、５ｎ＋４（ｎ＝０〜５）のフレ−ム映像は２４Ｐのタイムコ−ド４ｎ、４ｎ＋１、４ｎ＋２、４ｎ＋３に変換することで、なめらかな動きかつ自然であり、フレ−ム圧縮デ−タのままで映像変換することで画質劣化なくタイムコ−ドと映像変換が実現できる。
【００２８】
図５は、本発明の映像変換装置、映像編集装置についての概略図である。２４Ｐ入力手段３０、２４Ｐタイムコード入力手段３１を備え図１と同様の映像変換、タイムコ−ド変換処理を行う。その場合のタイムコ−ド変換と抜き出し制御についての概略図を図６に示す。２４Ｐの映像とタイムコ−ドが映像変換装置に入力されてから２：３：３：２プルダウンで６０ｉに変換される場合、２４Ｐのタイムコ−ド４ｎ、４ｎ＋１、４ｎ＋２、４ｎ＋３に対して６０ｉのタイムコ−ドの５ｎ＋２フレ−ムである、２，７，１２、１７、２２，２７フレ−ムを追加することを示している。また、６０ｉの映像から２４Ｐの映像へ変換する場合、タイムコ−ドの５ｎ＋２フレ−ムである、２，７，１２、１７、２２，２７フレ−ムを削除し、残りの５ｎ、５ｎ＋１、５ｎ＋３、５ｎ＋４フレ−ム（ｎ＝０〜５）を抜き出すことで２４Ｐの４ｎ、４ｎ＋１、４ｎ＋２、４ｎ＋３フレ−ム（ｎ＝０〜５）のタイムコ−ドが映像と位相同期を保ちながら復元できる。
【００２９】
なお、以上の説明では、　２：３：３：２プルダウン方式の１シ−ケンスをタイムコ−ドのフレ−ム値で構成した例で説明したが、その他の記録媒体のユ−ザ−エリアに同様に　２：３：３：２プルダウンの１シ−ケンス情報を書き込んだ場合についても同様に実施可能である。また、以上の説明では、２：３：３：２プルダウン方式の１シ−ケンスについて説明したが、同様の方法で２：３：２：３プルダウン方式、２：２：２：４プルダウン方式の１シ−ケンスについても同様に実施可能である。
【００３０】
【発明の効果】
以上のように本発明によれば、広く普及したＮＴＳＣ方式などの６０フィールド／秒のインターレース方式の記録装置や表示装置を使って、２４フレーム／秒の映像記録または映像出力をすることができ、かつ、記録媒体のタイムコ−ドと位相同期して撮影つなぎ撮り記録して、再度編集する時にも、撮影時の２４フレームをフレーム単位で画質劣化なく取りだし、安価な構成でタイムコ−ドを利用して映像の撮影つなぎ取り、タイムコ−ド編集するという効果を有する。
【図面の簡単な説明】
【図１】本発明の一実施の形態を示すブロック図
【図２】従来の“２：３：２：３”形式を示す概念図
【図３】本発明の　２：３：３：２プルダウン制御と撮影記録単位を示す概念図
【図４】本発明のタイムコ−ド抜き出し制御手段を示す概念図
【図５】本発明の一実施の形態「映像変換装置」を示すブロック図
【図６】本発明の映像変換装置のタイムコ−ド変換と抜き出し制御を示す概念図
【符号の説明】
１０　　シリンダ−ヘッド
１１　２４フレーム／秒で映像を撮影する撮像手段
１２　２４Ｐの映像を６０ｉに変換するための一時記録手段
１３　６０ｉの映像を圧縮する映像圧縮手段
１４　圧縮した映像データを記録する記録手段
１５　“２：３：３：２”プルダウン制御手段
１６　前記圧縮映像データを出力する出力手段
１７　前記圧縮映像データを入力する入力手段
１８　圧縮映像データを記録する記録手段
１９　映像伸張手段
２１　記録媒体のタイムコ−ト゛読み取り手段
２２　２：３：３：２プルダウン制御手段
２３　記録開始信号発生手段
２４　記録手段
３０　　２４Ｐ入力手段
３１　２４Ｐタイムコ−ド入力読み取り手段
１００　　　記録媒体
１２０　タイムコ−ド抜き出し制御手段
１２１　編集手段
１２２　映像出力手段
１２５　タイムコ−ド出力手段
１３０　タイムコ−ド変換手段
【図１】
2004064608.tif 000003
【図２】
2004064608.tif 000004
【図３】
2004064608.tif 000005
【図４】
2004064608.tif 000006
【図５】
2004064608.tif 000007
【図６】
2004064608.tif 000008